(57)【要約】【課題】装置やシテムに電力を消費する新たな回路や部品を追加するときに電源容量を超過しないようにした給電制御システを得ること。【解決手段】中継器本体１０１には、カードスロット１０２１、……１０２ｎ−１、１０２ｎが設けられており、回線インタフェースカード１０３を給電装置１０８の電源容量の上限を超えない範囲で複数装着可能である。回線インタフェースカード１０３にはカード情報保持部が設けられており、カード装着時にその最大消費電力が読み出される。図示しないオンボード電源はこの状態でカード内の機能部への電源の供給は遮断している。制御装置１０６は読み出した最大消費電力をそのカードに供給できると判別したときはそのオンボード電源に機能部への給電を指示する。【選択図】  図１
2004364417.tif 000002
【特許請求の範囲】
【請求項１】
給電を開始しようとする電気部品内部に予め格納されているその電気部品の最大消費電力を表わしたデータを給電開始前に読み出すデータ読出手段と、
このデータ読出手段の読み出したデータを用いてその電気部品にその本来的な使用のための電力を供給することが可能であるか否かを判別する電力供給可否判別手段と、
この電力供給可否判別手段の判別結果が電力供給を可としたときにはその電気部品の本来的な使用のための電力の供給を開始する電力供給開始手段
とを給電側の装置に具備させたことを特徴とする給電制御システム。
【請求項２】
１または複数のカードを挿抜自在としたカードスロットと、
カードスロットにカードが装着されたときそのカードの本来給電されるべき部位への給電を停止した状態でそのカードからそのカードの最大消費電力を表わしたデータを読み出すデータ読出手段と、
このデータ読出手段の読み出したデータの表わす最大消費電力がそのカードに割り当て可能な最大消費電力の範囲内であるか否かを判別する電力供給可否判別手段と、
この電力供給可否判別手段の判別結果が電力供給を可としたときにはそのカードの本来的な使用のための電力の供給を開始する電力供給開始手段
とを給電側の装置に具備させたことを特徴とする給電制御システム。
【請求項３】
前記カードスロットから過去に装着されたカードが抜き取られたとき、その過去に装着されたカードの最大消費電力分だけ現在装着したカードに割り当て可能な最大消費電力を増加させる最大消費電力再演算手段を給電側の装置に更に具備させたことを特徴とする請求項２記載の給電制御システム。
【請求項４】
前記電力供給可否判別手段の判別結果が電力供給を不可としたときそのカードの使用が不可能であることを通知する通知手段を給電側の装置に更に具備させたことを特徴とする請求項２記載の給電制御システム。
【請求項５】
前記カードはオンボード電源と、カード内の各部に対する電源供給のオン・オフを制御するスイッチと、カードの最大消費電力を保持したデータ保持部と、オンボード電源により電源の供給を受けてカードとしての所定の機能を発揮させる機能部と、カードが前記カードスロットに装着された時点で前記データ保持部に前記給電側の装置からデータ読み出しのための電源の供給を受けて給電側の装置からのデータの読み出しを可能にさせるデータ読出用電源供給手段と、前記給電側の装置がこのカードに対して電源の供給を可とする信号を送出してきたとき前記スイッチをオフの状態からオンの状態に切り替えるスイッチ制御手段を具備することを特徴とする請求項２〜請求項４いずれかに記載の給電制御システム。
【請求項６】
前記カードはその最大消費電力を保持したデータ保持部と、前記給電側の装置より電源の供給を受けてカードとしての所定の機能を発揮させる機能部と、カードが前記カードスロットに装着された時点で前記データ保持部に前記給電側の装置からデータ読み出しのための電源の供給を受けて給電側の装置からのデータの読み出しを可能にさせるデータ読出用電源供給手段とを具備し、前記電力供給開始手段は、カードスロットごとに電源を別々に供給する給電線を備えていることを特徴とする請求項２〜請求項４いずれかに記載の給電制御システム。
【発明の詳細な説明】
【０００１】
【発明の属する技術分野】
本発明は各種カード等の電気部品に電力を供給する給電制御システムに係わり、特に電気部品の電力容量に一定の制限がある場合に好適な給電制御システムに関する。
【０００２】
【従来の技術】
電気部品はその搭載している電源や使用している部品等との関係で使用できる電力に上限があるのが一般的である。たとえば回線インタフェースカードを挿入するための幾つかのスロットを備えた通信装置で、回線インタフェースカードをこれらのスロットに順次挿入する場合を考える。回線インタフェースカードの種類によって消費電力に大きな相違があるような場合、挿入した回線インタフェースカードの組み合わせや挿入したカードの数によっては、これらの挿入によって装置全体の消費電力の限界を超過する場合がある。このような場合には、その通信装置のシステムが突然停止するといった不都合が発生した。一般に信頼性を要求されるネットワーク中継装置等の電子機器では、電源についても冗長な構成としており、複数の電源ユニットを搭載し、このようなシステムの停止といった最悪の事態が発生するのを極力防止している。しかしながら装置によっては比較的少ない数の電源ユニットしか備えていない場合や、電力ユニットの電力供給に十分な余裕がない場合がある。このような場合には、時として電源容量の上限を超過する事態を招く。
【０００３】
そこで、このような事態を防止するために、使用電力に関する情報を収集して、これを基に予め定められた許容電力量の範囲内で電気機器に対して電力を供給できるかどうかを判別するようにした第１の提案が行われている（たとえば特許文献１）。この第１の提案では、電気機器がある所望の電力消費を行いたい場合、これを事前に申請する。ブレーカ装置はこの申請があると、これに許可あるいは不許可を与えると共に、消費電力値が一定値を超えないように制御する。
【０００４】
すなわちブレーカ装置は申請があると使用電力計数部に問い合わせて現在の総電力消費量を導出し、ブレーカで許容される電力最大値からこれを差し引いて、この値と使用要求電力値とを比較する。そして、使用要求電力値の方が小さい場合には電力の使用を許可し、これ以外の場合には不許可とする。
【０００５】
また、電力使用の対象となる各端末への供給電力を予め測定しておくようにした第２の提案も存在する（たとえば特許文献２）。この提案では、ネットワーク中継装置がこれに接続される各端末への供給電力を予め測定しておいて、この測定結果に対して所定の重み付けを行う。そして、この重み付けされた測定結果を最大電源容量から差し引いた値を残りの給電電力容量として、これを超えない範囲で新たな端末の接続を制御するようにしている。これにより、現在接続されている端末の動作状況が変動した場合にも、新たな端末の接続の可否を判別することができる。
【０００６】
【特許文献１】
特開平１０−９４１９９号公報（第００５９〜第００６２段落、図５）
【特許文献２】
特願２００２―３６５７６７号公報（第０００６段落、図４）
【０００７】
【発明が解決しようとする課題】
ところで前者の第１の提案では、電力使用の申請が行われた時点で、ブレーカの接続された電灯線における現在の総電力消費量を導出する。そしてこの値を基にして使用要求電力値が使用可能であるかどうかの判別を行っている。しかしながら、使用する電力は電灯線に現在接続されている各電気製品の状態によって大きく変化する場合が多い。この提案にも記載されているアイロンや冷蔵庫は、加熱あるいは冷却動作を行う起動時に特に大電力を消費し、待機時には大きな電力を消費しない。また、新たに接続する機器が使用要求電力値通りに電力を消費するかも不明である。したがって、電力の使用が許可された場合でも各機器の消費電力のピークが重なったような場合には最大電力使用量を超過する場合が十分発生し得るという問題がある。
【０００８】
次に後者の第２の提案では、第１の提案で説明したような電力消費の変動を吸収するために予め測定した値に重み付けを行って消費電力の幅に所定の余裕を設けるようにしている。しかしながら、この第２の提案では新たに接続する端末は、それまで接続された端末と消費電力の点で特に異ならないことを前提としている。そして、この前提の基で、新たな端末が接続可能であるかどうかを判別している。したがって、新たに接続される端末の種類が異なるような場合には、電力供給量が最大電源容量を超える場合が発生し、これによりシステムの停止等の不具合が発生する可能性がある。
【０００９】
そこで本発明の目的は、装置やシステムに電力を消費する新たな回路や部品を追加するときに電源容量を超過しないようにした給電制御システムを提供することにある。
【００１０】
【課題を解決するための手段】
請求項１記載の給電制御システムでは、（イ）給電を開始しようとする電気部品内部に予め格納されているその電気部品の最大消費電力を表わしたデータを給電開始前に読み出すデータ読出手段と、（ロ）このデータ読出手段の読み出したデータを用いてその電気部品にその本来的な使用のための電力を供給することが可能であるか否かを判別する電力供給可否判別手段と、（ハ）この電力供給可否判別手段の判別結果が電力供給を可としたときにはその電気部品の本来的な使用のための電力の供給を開始する電力供給開始手段とを給電側の装置に具備させたことを特徴としている。
【００１１】
すなわち請求項１記載の発明では、給電を開始しようとする電気部品の内部に予め工場出荷等の際にその電気部品の最大消費電力を記したデータを格納しておき、これをその電気部品を電源供給の対象として組み込む際にデータ読出手段を用いて読み出すようにしている。そして、その電気部品にその本来的な使用のための電力を供給することが可能であるか否かを電力供給可否判別手段で判別するようにしている。ここで本来的な使用のための電力と表現したのは、データ読出手段を用いてデータを読み出す際に電力を使用する場合があり、これを含めない主旨である。このような読み出しのための電力は電気部品の本来的な使用のための電力に比べて格段に小さいのが通常であり、これは最大消費電力を問題とするときに無視できるからである。電力供給可否判別手段の判別結果が電力供給を可としたとき電力供給開始手段は電気部品の本来的な使用のための電力の供給を開始することになる。本発明では電気部品ごとに最大消費電力を求めておいてこれを基にしてその電気部品を使用するかどうかを判別するので、電力超過となる可能性がなく信頼性の高い給電制御システムを実現することができる。
【００１２】
請求項２記載の給電制御システムでは、（イ）１または複数のカードを挿抜自在としたカードスロットと、（ロ）カードスロットにカードが装着されたときそのカードの本来給電されるべき部位への給電を停止した状態でそのカードからそのカードの最大消費電力を表わしたデータを読み出すデータ読出手段と、（ハ）このデータ読出手段の読み出したデータの表わす最大消費電力がそのカードに割り当て可能な最大消費電力の範囲内であるか否かを判別する電力供給可否判別手段と、（ニ）この電力供給可否判別手段の判別結果が電力供給を可としたときにはそのカードの本来的な使用のための電力の供給を開始する電力供給開始手段とを給電側の装置に具備させたことを特徴としている。
【００１３】
すなわち請求項２記載の発明では、給電を開始しようとするカードの内部に予め工場出荷等の際にそのカードの最大消費電力を記したデータを格納しておき、これをそのカードを電源供給の対象としてカードスロットを介して組み込む際にデータ読出手段を用いて読み出すようにしている。そして、電力供給可否判別手段で、データ読出手段の読み出したデータの表わす最大消費電力がそのカードに割り当て可能な最大消費電力の範囲内であるか否かを判別するようにしている。この結果、電力供給可否判別手段の判別結果が電力供給を可としたときにはそのカードの本来的な使用のための電力の供給を開始する。ここで本来的な使用のための電力と表現したのは、データ読出手段を用いてデータを読み出す際に電力を使用する場合があり、これを含めない主旨である。このような読み出しのための電力はカードの本来的な使用のための電力に比べて格段に小さいのが通常であり、これは最大消費電力を問題とするときに無視できるからである。電力供給可否判別手段の判別結果が電力供給を可としたとき電力供給開始手段は電気部品の本来的な使用のための電力の供給を開始することになる。本発明ではカードごとに最大消費電力を求めておいてこれを基にしてそのカードを使用するかどうかを判別するので、電力超過となる可能性がなく信頼性の高い給電制御システムを実現することができる。
【００１４】
請求項３記載の発明では、請求項２記載の給電制御システムで、カードスロットから過去に装着されたカードが抜き取られたとき、その過去に装着されたカードの最大消費電力分だけ現在装着したカードに割り当て可能な最大消費電力を増加させる最大消費電力再演算手段を給電側の装置に更に具備させたことを特徴としている。
【００１５】
カードスロットが幾つもあってカードを何枚か使用しているような状況で消費電力に余裕がなくなってきたような場合には、過去に装着されたカードの一部または全部を抜き取ることでその分だけ新たに装着するカードに対する最大消費電力に余裕を持たせることができる。
【００１６】
請求項４記載の発明では、請求項２記載の給電制御システムで、電力供給可否判別手段の判別結果が電力供給を不可としたときそのカードの使用が不可能であることを通知する通知手段を給電側の装置に更に具備させている。
【００１７】
本発明により、現在装着したそのカードをそのまま使用できないことが分かるので、その現在装着したカードをカードスロットから除去するか代わりに過去に装着したカードを抜き取るか等の操作を迅速に行うことができる。
【００１８】
請求項５記載の発明では、請求項２〜請求項４いずれかに記載の給電制御システムで、カードはオンボード電源と、カード内の各部に対する電源供給のオン・オフを制御するスイッチと、カードの最大消費電力を保持したデータ保持部と、オンボード電源により電源の供給を受けてカードとしての所定の機能を発揮させる機能部と、カードがカードスロットに装着された時点でデータ保持部に給電側の装置からデータ読み出しのための電源の供給を受けて給電側の装置からのデータの読み出しを可能にさせるデータ読出用電源供給手段と、給電側の装置がこのカードに対して電源の供給を可とする信号を送出してきたときスイッチをオフの状態からオンの状態に切り替えるスイッチ制御手段を具備することを特徴としている。
【００１９】
すなわち請求項５記載の発明では、カードがオンボード電源を搭載している場合を扱っている。この場合にはオンボード電源と機能部との間の電源供給をオン・オフするスイッチが必要になり、これを初期的な状態および電源供給が不可能と判別された状態でオフにしておくことで電力消費を避けることができる。
【００２０】
請求項６記載の発明では、請求項２〜請求項４いずれかに記載の給電制御システムで、カードはその最大消費電力を保持したデータ保持部と、給電側の装置より電源の供給を受けてカードとしての所定の機能を発揮させる機能部と、カードがカードスロットに装着された時点でデータ保持部に給電側の装置からデータ読み出しのための電源の供給を受けて給電側の装置からのデータの読み出しを可能にさせるデータ読出用電源供給手段とを具備し、電力供給開始手段は、カードスロットごとに電源を別々に供給する給電線を備えていることを特徴としている。
【００２１】
すなわち請求項６記載の発明では、カードがオンボード電源を搭載していない場合を示している。この場合には電力供給開始手段がカードスロットごとに電源を別々に供給する給電線を備え、給電側の装置で個々のカードの給電を直接的に制御することにしている。
【００２２】
【発明の実施の形態】
【００２３】
【実施例】
以下実施例につき本発明を詳細に説明する。
【００２４】
図１は本発明の一実施例による給電制御システムの構成を表わしたものである。本実施例の給電制御システムは、ネットワーク中継装置に使用されるシステムである。このネットワーク中継装置を構成する中継器本体１０１には、カード装着用のカードスロット１０２１、……１０２ｎ−１、１０２ｎが設けられている。図示の時点では回線インタフェースカード１０３１、……１０３ｎ−１がカードスロット１０２１、……１０２ｎ−１に装着されている。それぞれのカードスロット１０２１、……１０２ｎ−１、１０２ｎと中継器本体１０１の内部との間には複数の信号線がそれぞれ配置されている。そのうちの１本はカード情報読取用信号線１０４１、……１０４ｎ−１、１０４ｎであり、他の１本は電力供給可通知線１０５１、……１０５ｎ−１、１０５ｎである。これらカード情報読取用信号線１０４１、……１０４ｎ−１、１０４ｎおよび電力供給可通知線１０５１、……１０５ｎ−１、１０５ｎは、中継器本体１０１内の制御装置１０６にそれぞれ接続されている。残りの信号線のうちの一部をなす１対の信号線（図で太線で示す）は、電源線１０７１、……１０７ｎ−１、１０７ｎである。電源線１０７１、……１０７ｎ−１、１０７ｎは電源共通線１０７にまとめられて、その一端が給電装置１０８に接続されている。なお、その他の信号線は本発明の説明に直接関係しないので図示を省略している。
【００２５】
図２は回線インタフェースカードの構成を表わしたものである。図１に示した中継器本体１０１のカードスロット１０２１、……１０２ｎ−１、１０２ｎに挿着できる回線インタフェースカード１０３は各部の機能や消費電力が異なる幾種類ものタイプのものがあるが、基本的に同一の構成となっている。そこで、図２では回線インタフェースカード１０３ｎを代表として説明する。回線インタフェースカード１０３ｎは、図１に示したカード情報読取用信号線１０４１、……１０４ｎ−１、１０４ｎのいずれかと接続されるカード情報読取用信号線１２１と、電力供給可通知線１０５１、……１０５ｎ−１、１０５ｎのいずれかと接続される電力供給可否通知線１２２と、電源線１０７１、……１０７ｎ−１、１０７ｎのいずれかの組と接続される一組の電源線１２３１、１２３２を備えている。ただし、電源線は電圧等の種類に応じて適宜その本数を増減される。
【００２６】
このうちのカード情報読取用信号線１２１は回線インタフェースカード１０３ｎの挿入端部側に配置されたコネクタ部１２４の一端の図示しない端子とカード情報保持部１２５の間を接続している。電力供給可否通知線１２２はコネクタ部１２４の一端の図示しない他の端子とオンボード電源１２６の間を接続している。一対の電源線１２３１、１２３２はコネクタ部１２４の一端の図示しない更に他のそれぞれの端子とオンボード電源１２６の間を接続している。
【００２７】
本実施例のコネクタ部１２４にはその一部にスロット識別部１２７が設けられている。スロット識別部１２７は専用のカードスロットにのみ装着可能とするための機構である。スロット識別部１２７は、たとえば図１に示したカードスロット１０２１、……１０２ｎ−１、１０２ｎ側のピンが挿入される位置の穴を塞いで回線インタフェースカード１０３ｎの挿入を阻止するようになっていたり、突出部分の存在でカードスロット１０２１、……１０２ｎ−１、１０２ｎにコネクタ部１２４を挿入できない構造となっている。その他、周知の手法を用いて専用の回線インタフェースカード以外のカードの挿入を阻止したり、装着した後のカードとしての動作を禁止するものも可能である。
【００２８】
本実施例でオンボード電源１２６はこの回線インタフェースカード１０３ｎで独自に必要とされる電圧を生成する他に、所定の論理信号を所定のタイミングで出力する機能を有している。オンボード電源１２６とカード情報保持部１２５の間には、読取信号線１２８が接続されている。読取信号線１２８は、この回線インタフェースカード１０３ｎを図１に示したカードスロット１０２１、……１０２ｎ−１、１０２ｎのいずれかに装着したとき等のようにオンボード電源１２６に給電装置１０８から給電が開始されてから所定の時間アクティブとなる信号線である。読取信号線１２８がアクティブとなることでカード情報保持部１２５に格納された回線インタフェースカード１０３ｎの最大消費電力を示すデータがビットシリアルにカード情報読取用信号線１２１に読み出され、図１に示したカード情報読取用信号線１０４１、……１０４ｎ−１、１０４ｎのうちの対応するものを介して制御装置１０６に送られるようになっている。
【００２９】
回線インタフェースカード１０３ｎには、このカード本来の機能を果たすための機能部１３１が配置されている。本実施例の場合、機能部１３１は回線インタフェース回路としての機能を果たすが、カードによってその機能が各種相違し、消費電力もこれに応じてまちまちとなっている。機能部１３１は電力を消費するので電源供給線１３２がオンボード電源１２６との間を接続しているが、その中間地点に電源オン・オフスイッチ１３３が設けられている。電源オン・オフスイッチ１３３は、スイッチ制御線１３４によるオンボード電源１２６側の制御によってオンまたはオフとなるようになっている。電源オン・オフスイッチ１３３は機械的なスイッチであってもよいし、ゲート回路あるいはＦＥＴ（Ｆｉｅｌｄ−Ｅｆｆｅｃｔ  Ｔｒａｎｓｉｓｔｏｒ）等の素子を用いた電気的なスイッチであってもよい。また、本実施例ではオンボード電源１２６と機能部１３１の間に電源オン・オフスイッチ１３３を配置したが、オンボード電源１２６内あるいは機能部１３１の入口側に同様のスイッチを配置しても同様の機能を果たすことができる。
【００３０】
図３は中継器本体側に配置された制御装置の構成の概要を表わしたものである。制御装置１０６は図示しないＣＰＵ（中央処理装置）や制御プログラムを格納したＲＯＭ（リード・オンリ・メモリ）および不揮発性メモリ等から構成されるがこの図３に示したように幾つかの回路部分として把握することができる。このうち最大電源容量記憶部１４１は、図１に示した給電装置１０８が全カードスロット１０２１、……１０２ｎ−１、１０２ｎに割り当てることのできる電源容量の最大値を格納した記憶部であり、実際には前記したＲＯＭの１つの領域が割り当てられている。スロット別電力記憶部１４２は、現在電源の供給を行っている各カードスロット（図１でカードスロット１０２１、……１０２ｎ−１）に装着されている回線インタフェースカード１０３１〜１０３ｎ−１のそれぞれについてカード装着時に読み取った最大消費電力が各カードスロット１０２１、……１０２ｎ−１に対応させて記憶されている。スロット別電力記憶部１４２はたとえば前記した不揮発性メモリの一領域を割り当てることができる。また、中継器本体１０１の起動のたびにその時点でカードスロット１０２１、……１０２ｎ−１、１０２ｎに接続されている全回線インタフェースカード１０３の最大消費電力を読み取って記憶する構成となっていれば、不揮発性メモリにこれらの値を格納する必要はなく、たとえば揮発性のＲＡＭ（ランダム・アクセス・メモリ）に格納することも可能である。
【００３１】
カード挿抜検出部１４３は、カードスロット１０２１、……１０２ｎ−１、１０２ｎに対する回線インタフェースカード１０３の挿抜を検出する部分である。挿抜の検出は機械的、光学的あるいは電気的な公知の手法で行うことができる。許容電力算出部１４４は、新たな回線インタフェースカード１０３をカードスロット１０２１、……１０２ｎ−１、１０２ｎのいずれかに挿入したとき、このカードに対する許容電力を算出する部分である。この算出は、最大電源容量記憶部１４１に記憶された電力値からスロット別電力記憶部１４２に記憶された現在使用中の各回線インタフェースカード１０３１〜１０３ｎ−１の最大使用電力を差し引いた値となる。最大電力読出部１４５は、新たにカードスロット１０２に挿入した回線インタフェースカード１０３（本実施例のこの例の場合にはカードスロット１０２ｎに装着された回線インタフェースカード１０３ｎ）のカード情報保持部１２５（図２）からカード情報として最大消費電力を読み出す部分である。最大電力読出部１４５は、図２に示した読取信号線１２８がアクティブとなった状態でカード情報読取用信号線１２１から最大消費電力を表わしたビットシリアルなカード情報を読み出して一時的にこれを格納する。電力供給可否判定・通知部１４６はこの回線インタフェースカード１０３ｎの最大消費電力を許容電力算出部１４４の算出結果と比較してこれに対する電力の供給の可否を判別し、可能な場合にはその結果を電力供給可通知線１０５を通じて対応する回線インタフェースカード１０３ｎ側に通知するようになっている。給電装置制御部１４７は制御線１４８によって図１に示した給電装置１０８のオン・オフ制御を行うようになっている。ただし、中継器本体１０１の電源がオンとなっている状態で常に給電装置１０８がオンとなる回路構成を行っている場合には給電装置制御部１４７および制御線１４８は不要である。警報通知部１４９は回線インタフェースカード１０３ｎに電力の供給が不可能と判断された場合にその警報を警報制御線１５１を通じて出力する回路である。警報制御線１５１は図示しないブザーあるいはスピーカに接続されており、新たな回線インタフェースカード１０３ｎの使用が不可能である旨の警報あるいは警告メッセージを出力するようになっている。
【００３２】
図４は、制御装置の制御の様子を表わしたものである。図３に示した制御装置１０６はカード挿抜検出部１４３によって回線インタフェースカード１０３の挿入あるいは抜き取りを監視している（ステップＳ２０１、Ｓ２０２）。たとえば回線インタフェースカード１０３ｎが新たに挿入された場合には（ステップＳ２０１：Ｙ）、図２に示したカード情報保持部１２５からカード情報を読み出す（ステップＳ２０３）。このために回線インタフェースカード１０３がカードスロット１０２ｎに挿着された時点で電源線１０７ｎから回線インタフェースカード１０３ｎのオンボード電源１２６に電源が供給されるが、この時点で図２に示した電源オン・オフスイッチ１３３は初期状態としてオフになっている。したがって、オンボード電源１２６は読取信号線１２８をアクティブにするだけであり、この時点の回線インタフェースカード１０３ｎによる消費電力はきわめて僅かである。したがって、この時点で給電装置１０８の出力電力が許容値を超える等の問題が発生することはない。
【００３３】
ステップＳ２０３でカード情報の読み出しが行われたら、電力供給可否判定・通知部１４６は回線インタフェースカード１０３ｎが中継器本体１０１側で給電可能すなわち組み込み可能であるかどうかを判別し（ステップＳ２０４）、組み込み可能であれば（Ｙ）、電力供給可通知線１０５を通じて回線インタフェースカード１０３ｎのオンボード電源１２６に電源オンの通知を行う（ステップＳ２０５）。図２に示した回線インタフェースカード１０３ｎではこの通知を基にオンボード電源１２６がスイッチ制御線１３４によって電源オン・オフスイッチ１３３をオンにする。これによりその機能部１３１にオンボード電源１２６によって生成された電源が供給されることになる。一方、中継器本体１０１側では回線インタフェースカード１０３ｎについて組み込み処理を行って（ステップＳ２０６）、これとの間で信号の送受信を開始する。
【００３４】
ステップＳ２０４で回線インタフェースカード１０３ｎの組み込みが不可能であると判別された場合には（Ｎ）、警報通知部１４９が前記した警報あるいは警告メッセージの出力制御を行う（ステップＳ２０７）。これにより、中継器本体１０１に回線インタフェースカード１０３ｎを装着した者は、これを断念して抜き取るか、比較的重要でない他の回線インタフェースカード１０３を抜き取って回線インタフェースカード１０３ｎの装着を再度試みることになる。
【００３５】
図１に示したカード装着用のカードスロット１０２１、……１０２ｎ−１、１０２ｎのいずれかから回線インタフェースカード１０３が抜き取られた場合には（ステップＳ２０２：Ｙ）、制御装置１０６はその抜き取りが行われたカードに対応する最大消費電力についてのデータをスロット別電力記憶部１４２から削除することでデータの更新を行う（ステップＳ２０８）。現在組み込もうとして失敗した回線インタフェースカード１０３ｎを抜き取った場合にはそのデータはスロット別電力記憶部１４２にまだ組み入れられていないので、データの更新は実質的に行われない。ただし、最大電力読出部１４５で読み取ったデータをスロット別電力記憶部１４２にとりあえず登録することは可能なので、このような処理を行っていた場合には新たに組み込みを試みたその回線インタフェースカード１０３に関する最大消費電力についてのデータが消去されることになる。
【００３６】
したがって、現在使用していないカードのように重要でない回線インタフェースカード１０３を抜き取ると、許容電力算出部１４４の算出の基礎となる現在の電力量が変化する。そこでこの段階で回線インタフェースカード１０３ｎを再度装着することでその組み込みを成功させることができる場合が生じることになる。
【００３７】
＜発明の変形例＞
【００３８】
図５は、オンボード電源を搭載していないカードを用いる給電制御システムの構成の概要を表わしたものである。この変形例では電源の供給のオン・オフ制御を行うオンボード電源が存在せず、給電装置１０８Ａが各回線インタフェースカード１０３Ａの電源を直接供給するようになっている。したがって、この変形例の場合には給電装置１０８Ａと各カードスロット１０２Ａ１、……１０２Ａｎ−１、１０２Ａｎの間には電源線１０７Ａ１、……１０７Ａｎ−１、１０７Ａｎが１組ずつ対応して接続されている。
【００３９】
図６は回線インタフェースカードの構成を示したものである。ここでは回線インタフェースカード１０３Ａ１について説明するが、他の回線インタフェースカード１０３Ａもその構成の基本は同一である。回線インタフェースカード１０３Ａ１は、図２に示した先の実施例と異なりカード情報保持部１２５Ａと機能部１３１Ａで構成されている。この図には示していない回線インタフェースカード１０３Ａｎ等についても同様である。回線インタフェースカード１０３Ａ１では、カード情報保持部１２５Ａとカードスロット１０２Ａ１の間に、カード情報読取用信号線１０４Ａ１と接続するカード情報読取用信号線１２１Ａが接続されており、機能部１３１Ａとカードスロット１０２Ａ１の間に、電源線１０７Ａ１と接続する電源線１２３Ａが接続されている。他の回線インタフェースカード１０３Ａｎ等についても同様である。
【００４０】
この変形例の給電制御システムでは、回線インタフェースカード１０３Ａ１を例にとって説明するとカード情報読取用信号線１０４Ａ１およびカード情報読取用信号線１２１Ａがカード情報の読み取りのための線と読み取りを行う際に必要な電源（電圧）の設定線と兼用されており、必要に応じて複数本の線として構成されている。したがって、図示しない回線インタフェースカード１０３Ａｎを追加するためにそのカードスロット１０２Ａｎにこれを装着すると、この時点でカード情報の読み取りが行われる。回線インタフェースカード１０３Ａｎをカードスロット１０２Ａｎに装着した時点では電源線１０７Ａ１、……１０７Ａｎ−１は電源を供給しているが該当する電源線１０７Ａｎは電源の供給を停止している。したがって、回線インタフェースカード１０３Ａｎについての最大消費電力の判読を行っている段階で消費する電力は微弱であり、給電装置１０８Ａの許容電力最大値を超えることはない。
【００４１】
中継器本体１０１Ａの制御装置１０６Ａが回線インタフェースカード１０３Ａｎの追加組み込みの可否を判別した結果、それが可能と判別された場合には制御線１４８Ａからその旨の制御信号が給電装置１０８Ａに送られる。この結果、給電装置１０８Ａは電源線１０７Ａｎに電源の供給を開始する。これにより回線インタフェースカード１０３Ａｎの機能部１３１Ａに電源が供給され、その動作が可能になる。回線インタフェースカード１０３Ａｎの追加組み込みが不可能とされた場合の動作は実施例と同一である。
【００４２】
以上説明した実施例および変形例ではネットワーク中継装置に本発明を適用する場合について説明したが、カードあるいは部品あるいは電気製品をカードスロットやＵＳＢ（Ｕｎｉｖｅｒｓａｌ  Ｓｅｒｉａｌ  Ｂｕｓ）等のバス、電灯線あるいはコネクタを介して接続し、電源の供給を受けるすべての場合に本発明を同様に適用することができる。
【００４３】
【発明の効果】
以上説明したように請求項１記載の発明によれば、給電を開始しようとする電気部品の内部に予め工場出荷等の際にその電気部品の最大消費電力を記したデータを格納しておくので、最大消費電力を測定する手間と時間を省いて、電力超過を防止し、信頼性の高い給電制御システムを実現することができる。
【００４４】
また請求項２記載の発明によれば、給電を開始しようとするカードの内部に予め工場出荷等の際にその電気部品の最大消費電力を記したデータを格納しておくので、最大消費電力を測定する手間と時間を省いて、電力超過を防止し、信頼性の高い給電制御システムを実現することができる。
【００４５】
更に請求項４記載の発明によれば、電力供給可否判別手段の判別結果が電力供給を不可としたときそのカードの使用が不可能であることを通知されるので、そのカードをカードスロットから除去するか代わりのカードを抜き取るか等の操作を迅速に行うことができる。
【図面の簡単な説明】
【図１】本発明の一実施例による給電制御システムの概略構成図である。
【図２】本実施例の回線インタフェースカードの構成を示したブロック図である。
【図３】本実施例で中継器本体側に配置された制御装置の構成の概要を表わしたブロック図である。
【図４】本実施例の制御装置の制御の様子を表わした流れ図である。
【図５】本発明の変形例の給電制御システムの概略構成図である。
【図６】この変形例の回線インタフェースカードの構成を示したブロック図である。
【符号の説明】
１０１、１０１Ａ  中継器本体
１０２  カードスロット
１０３、１０３Ａ  回線インタフェースカード
１０５  電力供給可通知線
１０６、１０６Ａ  制御装置
１０７１〜１０７ｎ、１０７Ａ１〜１０７Ａｎ  電源線
１０８、１０８Ａ  給電装置
１２５、１２５Ａ  カード情報保持部
１２６  オンボード電源
１３１、１３１Ａ  機能部
１３３  電源オン・オフスイッチ
１４１  最大電源容量記憶部
１４２  スロット別電力記憶部
１４３  カード挿抜検出部
１４４  許容電力算出部
１４５  最大電力読出部
１４６  電力供給可否判定・通知部
１４７  給電装置制御部
１４８  制御線
【図１】
2004364417.tif 000003
【図２】
2004364417.tif 000004
【図３】
2004364417.tif 000005
【図４】
2004364417.tif 000006
【図５】
2004364417.tif 000007
【図６】
2004364417.tif 000008